(57)【特許請求の範囲】
【請求項１】
予め未露光の写真フイルムが装填され簡単な撮影機構が組み込まれたユニット本体を備え、このユニット本体を構成するプラスチック部品の少なくとも一部を、一度原材料に戻した後再度成形して再生使用するレンズ付きフイルムユニットにおいて、
前記再生使用されるプラスチック部品は、第１及び第２の再生方法が異なる２種類の部品からなり、第１の再生部品は、前記プラスチック部品を破砕した破砕材をペレット化することなく少なくとも原材料の一部として用いた再生部品であり、第２の再生部品は、前記プラスチック部品を破砕した破砕材を溶融後ペレット化した再生ペレットを少なくとも原材料の一部として用い、かつ、前記破砕材を原材料に含まない再生部品であり、
前記ユニット本体の構成部品のうち、前記写真フイルムと接触しない部品については前記第１の再生部品を使用し、前記写真フイルムと接触する部品については前記第２再生部品を使用したことを特徴とするレンズ付きフイルムユニット。
【請求項２】
前記構成部品は、前記写真フイルムと接触する部品として、前記写真フイルムが装填され前記撮影機構を組み付けるためのベースとなる本体基部と、この本体基部を背後から覆う後カバーとを含むとともに、前記写真フイルムと接触しない部品として、前記本体基部を前面から覆う前カバーとを含んでおり、前記前カバーを前記第１の再生部品とし、前記本体基部及び前記後カバーを前記第２の再生部品としたことを特徴とする請求項１記載のレンズ付きフイルムユニット。
【請求項３】
前記第１の再生部品を成形する際に原材料として用いられる破砕材の割合を５０％以下としたことを特徴とする請求項１又は２記載のレンズ付きフイルムユニット。
【請求項４】
前記第１の再生部品を成形する際に原材料として用いられる再生ペレットの割合を３０％以上としたことを特徴とする請求項１〜３いずれか記載のレンズ付きフイルムユニット。
【請求項５】
前記第２の再生部品を成形する際に原材料として用いられる再生ペレットの割合を７０％以上としたことを特徴とする請求項１〜４いずれか記載のレンズ付きフイルムユニット。
【請求項６】
前記破砕材の大きさを、混合して使用される前記再生ペレット又は新品ペレットの大きさと同程度にしたことを特徴とする請求項１〜５いずれか記載のレンズ付きフイルムユニット。
【発明の詳細な説明】
【０００１】
【発明の属する技術分野】
本発明は、プラスチック部品の少なくとも一部が再生使用されるレンズ付きフイルムユニットに関するものである。
【０００２】
【従来の技術】
近年、環境保全や産業廃棄物の削減のために、工業製品のリサイクルが行われている。このリサイクルには、材料ごとに部品を原材料化して使用する再生使用（狭義のリサイクル）と、部品をそのまま新しい工業部品に用いる再使用（リユース）とがある。簡易型カメラであるレンズ付きフイルムユニットでは、特開平６−１６１０４２号公報に記載されているように、使用済みのレンズ付きフイルムユニットから撮影済の写真フイルムを取り出した後、ユニット本体を回収して、リサイクルラインでユニット本体を分解し、撮影レンズや、露光ユニット，ストロボユニット等のユニット部品を再使用し、本体基部や、前カバー及び後カバー等のプラスチック部品をいったん原材料に戻した後、再生して使用している。
【０００３】
リサイクルラインにおいて、撮影レンズやユニット部品は、洗浄や検査を経て再使用部品として、製造ラインに投入される。他方、再生の対象となる本体基部，前後カバー等のプラスチック部品は、破砕されこの破砕材を溶融し押し出し成形機によってストランド（より糸）形状にし、これを裁断して一定の大きさのペレットに戻される。この再生ペレットを原材料として再生部品が成形され、成形された再生部品が製造ラインに投入される。
【０００４】
レンズ付きフイルムユニットは簡易低コストであることを特徴としているので、リサイクルコストを含めた製造コストはできる限り少ない方がよい。そこで、リサイクルコストを低減するために、プラスチック部品のリサイクルに際して、ペレット化工程を省略し、破砕材をそのまま原材料として再生部品を成形することが行われている。
【０００５】
【発明が解決しようとする課題】
しかしながら、破砕材を原材料としてプラスチック部品を成形した場合、破砕材が、成形時の加熱によっては完全に溶融されずに、小さな粒状の固まりとなって残ってしまう。この粒状の固まりが再生された本体基部や後カバーなど写真フイルムと接触する部品の表面に現れてしまうと、前記部品に凸部が生じ、これが写真フイルムに圧力カブリを発生させてしまったり、ひどい場合には、写真フイルムにフイルム傷がついてしまうという問題が生じる。
【０００６】
上記問題を解決するために、本発明のレンズ付きフイルムユニットは、リサイクルコストを低減させつつ、フイルム傷や圧力カブリの発生を防止することを目的とする。
【０００７】
【課題を解決するための手段】
前記目的を達成するために、本発明のレンズ付きフイルムユニットは、予め未露光の写真フイルムが装填され簡単な撮影機構が組み込まれたユニット本体を備え、このユニット本体を構成するプラスチック部品の少なくとも一部を一度原材料に戻した後再度成形して再生使用するレンズ付きフイルムユニットにおいて、前記再生使用されるプラスチック部品のうち前記写真フイルムと接触しない部品を、前記プラスチック部品を破砕した破砕材を少なくとも原材料の一部として用いる第１の再生部品としたことを特徴とするものである。
【０００８】
また、前記再生使用されるプラスチック部品のうち前記写真フイルムと接触する部品を、前記プラスチック部品を破砕しこの破砕材を溶融後ペレット化した再生ペレットを少なくとも原材料の一部として用い、かつ、前記破砕材を原材料に含まない第２の再生部品としたことを特徴とするものである。
【０００９】
なお、前記ユニット本体は、前記写真フイルムが装填され前記撮影機構を組み付けるためのベースとなる本体基部と、この本体基部を前後から覆う前カバー及び後カバーとからなり、前記前カバーを前記第１の再生部品とし、前記本体基部及び後カバーを前記第２の再生部品としてもよい。
【００１０】
なお、前記第１の再生部品を成形する際に原材料として用いられる破砕材の割合を５０％以下とすることがこのましい。また、前記第１の再生部品を成形する際に原材料として用いられる再生ペレットの割合を３０％以上とすることが好ましい。前記第２の再生部品を成形する際に原材料として用いられる再生ペレットの割合を７０％以上とすることが好ましい。前記破砕材の大きさを、混合して使用される前記再生ペレット又は新品ペレットの大きさと同程度にすることが好ましい。
【００１１】
【発明の実施の形態】
図１において、レンズ付きフイルムユニット１１は、ユニット本体１２と、このユニット本体１２の外周を部分的に覆うラベル１３とから構成されており、ユニット本体１２には予め写真フイルムが装填されている。レンズ付きフイルムユニット１１の前面には、撮影レンズ１４を露呈する開口１６，ファインダレンズを露呈する開口１７の他、ストロボ発光部１８を露呈する開口が形成されており、ストロボ発光部１８の下方には、ストロボ用の充電操作部材１９が設けられている。また、その上面には、シャッタボタン２１、フイルムカウンタ窓２２などが形成されており、上面から背面にかけて巻き上げノブ２３が露呈されている。
【００１２】
図２に示すように、ユニット本体１２は、本体基部２６、ストロボユニット２７、露光ユニット２８、前カバー２９、及び後カバー３１で構成される。これら本体基部２６、前カバー２９及び後カバー３１はプラスチック部品であり、リサイクルラインにおいて、衛生上及び品質上の理由から、いったん原材料に戻した後再生される。
【００１３】
本体基部２６には、中央に露光枠２６ａが形成されており、その両側にカートリッジ３２が装填されるカートリッジ室２６ｂと、カートリッジ３２から引き出された写真フイルム３３をロール状にしたフイルムロール３４が装填されるフイルムロール室２６ｃとが一体に形成されている。露光枠２６ａは、撮影位置に送られてきた写真フイルム３３の前面で１コマ分の露光範囲を制限する。露光枠２６ａの前方には角筒状に突出した暗箱基部２６ｄが一体に形成され、本体基部２６に露光ユニット２８を組み付けることによって、露光ユニット２８側の暗箱部２８ａと協同して暗箱を構成する。
【００１４】
露光枠２６ｄの背面の上下には、フイルムレール（図示せず）が形成されている。後カバー３１の前面にはフイルム規制面３１ａが形成されており、後カバー３１を本体基部２６に取り付けることで、フイルムレールとフイルム規制面３１ａとによりフイルム給送路が構成される。写真フイルム３３は、撮影するごとにカートリッジ３２に向けて巻き上げられる。写真フイルム３３は、フイルムレールとフイルム規制面３１ａと接触しこれらに両面から支持されながら給送される。
【００１５】
カートリッジ室２６ｂとフイルムロール室２６ｃの下面は開口となっており、この開口は、後カバー３１の一部を薄厚にし開閉自在に形成したプルトップ式の底蓋３１ｂ、３１ｃにより塞がれる。底蓋３１ｂは、撮影済みフイルムを収納したカートリッジ３２を取り出すときの蓋となる。
【００１６】
ストロボユニット２７は、プリント基板３６に、ストロボ充電回路等を含む回路要素、ストロボ発光部１８、シンクロスイッチ、一対の電池接片、メインコンデンサを一緒に取り付けたユニット部品である。このストロボユニット２７は、露光ユニット２８とフイルム収納室２６ｃとの間に配置され、爪係合により本体基部２６に着脱自在に取り付けられる。ストロボ回路は、電源電池３７から給電される。
【００１７】
ストロボ回路の充電をオンオフする充電操作部材１９は、受け板３８を介してプリント基板３６の前面に取り付けられる。充電操作部材１９の背面には金属製のスイッチ片が取り付けられており、充電操作部材１９をスライドさせると、スイッチ片がプリント基板３６の接点を導通させてストロボ回路を作動させる。充電操作部材１９は、プラスチック部品であり、ユーザが触る部品なので衛生上の理由から、再生使用される。
【００１８】
露光ユニット２８は、暗箱部２８ａをベースとして、その上部にファインダレンズ４１、フイルムカウンタ機構、シャッタ機構、フイルム巻き止め機構を、その前面にシャッタ羽根（図示せず），シャッタカバー４２を組み込んで、これらを一体化したユニット部品である。撮影レンズ１４は、取り外して独立に検査，洗浄を行うことができるように、シャッタカバー４２に着脱自在に取り付けられる。
【００１９】
暗箱部２８ａの上部には、複数の軸と軸受けが形成されており、これらの軸と軸受けには、フイルムカウンタ板４３，天板４４，シャッタ駆動レバー４６の他、係止レバー，カム部材，バネ等がそれぞれ取り付けられる。これらの部品は、バネを除いてすべてプラスチックで成形されている。
【００２０】
以下、図３及び図４のフローチャートを用いて、レンズ付きフイルムユニットのリサイクルの手順を説明する。リサイクルラインは、ユニット品種仕分け工程，分解ライン，検査・洗浄ライン，プラスチック部品再生ライン，製造ラインからなる。使用済みのレンズ付きフイルムユニット１１は、現像所等で写真フイルム３３びカートリッジ３２が取り出され、ユニット本体１２がメーカに回収される。回収されたユニット本体１２は、ユニット品種仕分け工程で品種別に仕分けされて、分解ラインに送られる。
【００２１】
分解ラインでは、化粧用のラベル１３が剥がされた後、まず、前カバー２９の他、充電操作部材１９や巻き上げノブ２３などが外され、これらの部品はプラスチック部品再生ラインに送られる。前カバー２９が外された後、露光ユニット２８，電源電池３７，ストロボユニット２７が外される。露光ユニット２８とストロボユニット２７は、検査・洗浄ラインに送られる。電源電池３７は、電池回収業者に回収される。最後に、残った本体基部２６と後カバー３１とが分離され、それぞれプラスチック部品再生ラインに送られる。
【００２２】
検査・洗浄ラインにおいて、露光ユニット２８は、撮影レンズ１４が取り外された状態で、エアブロー，除電ブローによりゴミや埃，静電気等が除去されてクリーニングがなされた後、機能検査が行われる。撮影レンズ１４は、水洗いによってクリーニングされた後、機能検査が行われる。この機能検査に合格したものが再使用部品として、製造ラインに供給される。ストロボユニット２７も、エアブロー等のクリーニング後、機能検査が行われ、この検査に合格したものが再使用部品として、製造ラインに供給される。
【００２３】
図４に示すように、プラスチック部品再生ラインは、原材料再生ラインと部品成形ラインとからなる。このうち、原材料再生ラインは、プラスチック部品を破砕しこの破砕材を溶融後ペレット化した再生ペレットを原材料として部品成形ラインに供給するペレット化ラインと、ペレット化せずに破砕材をそのまま原材料として部品成形ラインに供給するノンペレット化ラインとに別れる。
【００２４】
ペレット化ラインは、粗破砕工程，異材質分離工程，洗浄工程，乾燥工程，細破砕工程，溶融押し出し工程，裁断工程からなる。粗破砕工程では、破砕機によってプラスチック部品が比較的大きめの粒に破砕される。この粗破砕後、粗破砕材は、異材質分離工程に送られて、異材質分離機によって金属片等のプラスチックとは異なる材料が分離される。その後、洗浄工程において、粗破砕材が洗浄され、乾燥工程で脱水，乾燥させた後、細破砕工程で細かく破砕される。この細破砕工程では、破砕材の大きさが、前記再生ペレット又は新品ペレットの大きさと同程度になるように破砕される。
【００２５】
この破砕材を溶融押し出し成形機によって、溶融し、溶融した樹脂をストランド状に押し出し成形する。このストランド状の樹脂を冷却水で冷却し凝固させる。この凝固させたストランド状の樹脂を所定の大きさに裁断してペレット化する。このようにして再生された再生ペレットが原材料として部品成形ラインに投入される。
【００２６】
他方、ノンペレット化ラインは、粗破砕工程，異材質分離工程，細破砕工程，洗浄工程，乾燥工程からなる。プラスチック部品は、粗破砕工程で粗破砕された後、異材質分離工程で異材質が分離されて、細破砕工程で細かく破砕される。この細破砕材を洗浄し、乾燥工程で脱水，乾燥して再生破砕材が生成される。この再生破砕材が原材料としてプラスチック部品成形ラインに投入される。
【００２７】
部品成形ラインでは、再生破砕材，再生ペレット，新品ペレットを原材料として、金型成形により再生部品が作られる。これらの原材料は、成形する部品に応じて混合して使用される。また、再生部品は、原材料に再生破砕材が含まれる第１の再生部品と、再生ペレットを、原材料の全部又は新品ペレットとともに用いる第２の再生部品とに分かれる。
【００２８】
第１の再生部品は、再生破砕材の他、再生ペレットを混合して成形される。この混合割合は、再生破砕材が全体の５０％以下であることが好ましい。また、再生ペレットの代わりに新品ペレットを混合してもよいし、再生ペレットと新品ペレットの両方を混合してもよい。リサイクル効率を向上させるためには、再生ペレットを３０％以上用いることが好ましい。
【００２９】
第２の再生部品は、再生ペレットを少なくとも原材料の一部として用い、かつ、前記破砕材を原材料として含まないものである。第２の再生部品は、再生ペレットを１００％使用するか、又は、再生ペレットと新品ペレットを混合して成形される。この再生ペレットの混合割合は、リサイクル効率を向上させるためには、７０％以上であることが好ましいが、品質面を考慮して、部品に応じては５０％程度でもよい。
【００３０】
本体基部２６や後カバー３１など写真フイルム３３と接触する部品については、第２の再生部品が使用される。第２の再生部品には、破砕材が含まれていないので、成型時に溶融されない破砕材が部品の表面に粒状の固まりとなって現れることはない。このため、粒状の固まりが凸部となり写真フイルムに圧力をかけてこれを変形させることで圧力カブリを発生させることはないし、前記凸部により写真フイルム３３にフイルム傷を付けてしまうこともない。
【００３１】
他方、前カバー２９，充電操作部材１９，巻き上げノブ２３など、写真フイルム３３と接触しない部品については、第１の再生部品が使用される。第１の再生部品は、ペレット化工程を省略したノンペレット化ラインで再生されるので、リサイクルコストが低減される。これにより、レンズ付きフイルムユニットの製造コストが低減される。
【００３２】
製造ラインにおいては、供給された第１及び第２の各再生部品，再使用部品と、必要に応じて供給された新品部品とからレンズ付きフイルムユニットが組み立てられる。
【００３３】
上記例においては、本体基部を再生部品としているが、本体基部に露光機構を一体化して組み込んでいるような場合には、本体基部を再使用部品としてもよい。また、上記例では、リサイクルに際して、第１の再生部品と第２の再生部品の両方を使用しているが、第１の再生部品だけを使用し、写真フイルムと接触する部品については、新品部品を使用してもよい。
【００３４】
また、上記例では、露光ユニットを再使用部品としているが、各種カム部材，係合部材，レバー部材などを取り外し、暗箱部とともにこれらをいったん原材料に戻して部品再生してもよい。この場合、露光ユニットは、写真フイルムと接触するものではないので、第１の再生部品とするとよい。
【００３５】
【発明の効果】
以上詳細に説明したように、本発明のレンズ付きフイルムユニットは、ユニット本体を構成するプラスチック部品の少なくとも一部が一度原材料に戻された後再度成形されて再生使用されるレンズ付きフイルムユニットにおいて、前記再生使用されるプラスチック部品のうち前記写真フイルムと接触しない部品について、前記プラスチック部品を破砕した破砕材を、少なくとも原材料の一部として用いる第１の再生部品としたから、ペレット化工程の省略により、リサイクルコストを低減することができる。また、前記第１の再生部品を写真フイルムと接触しない部品に限定したから、リサイクルされたユニット本体に装填された写真フイルムに傷がついたり、圧力カブリが発生することはない。
【図面の簡単な説明】
【図１】レンズ付きフイルムユニットの全体斜視図である。
【図２】レンズ付きフイルムユニットの分解斜視図である。
【図３】リサイクルの手順を示すフローチャートである。
【図４】部品再生の手順を示すフローチャートである。
【符号の説明】
１１  レンズ付きフイルムユニット
１９  充電操作部材
２７  ストロボユニット
２８  露光ユニット
２９  前カバー
３１  後カバー
【図１】
0003941852.tif 000002
【図２】
0003941852.tif 000003
【図３】
0003941852.tif 000004
【図４】
0003941852.tif 000005